(57)【特許請求の範囲】
【請求項１】
ドア、引戸等の閉塞部材にて開閉される出入口の下枠上に下枠の長手方向に亙る長板状の止水フラップ板を起倒自在に取付け、この止水フラップ板を、閉塞部材が出入口を閉塞したときに起立すると共に閉塞部材が出入口を開放したときに倒れるように閉塞部材の開閉に連動させ、下枠の長手方向の両端部に下枠外に逃れる水を止水する止水壁を立設し、起立した止水フラップ板の長手方向端部の上面に下面が沿うようにカバーブロックを止水壁の上端部から下枠の長手方向の中央側に突設して成る出入口の構造において、カバーブロックの一端を水平回転自在に止水壁に枢支すると共に、止水壁に接離するカバーブロックの他端を止水壁に水平方向に係脱自在に係合したことを特徴とする出入口の構造。
【請求項２】
止水壁に枢支するカバーブロックの一端に板片を突設し、この板片の下面から下方に垂直軸を突設し、止水壁の壁面から水平で且つ平行な上水平片及び下水平片を間に隙間を介して下枠の長手方向の中央側に突設し、この隙間に挟み込んだ板片の垂直軸が嵌り込む枢支孔を下水平片に上下に貫通し、この枢支孔の周縁部に外方に開口せる切欠部を穿設し、この切欠部の開口幅寸法を垂直軸の軸径より狭く形成したことを特徴とする請求項１記載の出入口の構造。
【発明の詳細な説明】
【０００１】
【発明の属する技術分野】
本発明は、浴室等の出入口の構造に関し、詳しくは、ドア等の閉塞部材で閉塞した出入口の床面部分において、浴室から隣室への水の浸入を防ぐように止水フラップ板が立ち上がるといった止水手段を備えた出入口の構造に関する発明である。
【０００２】
【従来の技術】
近年、建築物には床面に段差を設けないようにするバリアフリー工法が盛んに用いられるようになっている。たとえば浴室Ａと脱衣所Ｂとの間、つまり浴室Ａの出入口１においてもこのバリアフリー工法が採用されるものであり、このような場合、浴室Ａで使用した浴水が段差のない浴室Ａの出入口の床面を流れて脱衣所Ｂに侵入する恐れがあるので、上記浴室Ａの出入口１の床部分には浴水の脱衣所Ｂへの侵入を防ぐ止水手段を備えることが行われている。
【０００３】
この止水手段としては、たとえば図１０に示すように、ドア、引戸等の閉塞部材２にて開閉される出入口１の下枠３上に下枠３の長手方向に亙る長板状の止水フラップ板４を起倒自在に取付け、閉塞部材２の開閉動作に止水フラップ板４の起倒動作を連動させる連動ユニット１３（図１１、１２参照）を設け、この連動ユニット１３にて止水フラップ板４を、閉塞部材２が出入口１を閉塞したときに起立すると共に閉塞部材２が出入口１を開放したときに倒れるように閉塞部材２の開閉に連動させ、下枠３の長手方向の両端部に下枠３外に逃れる水を止水する止水壁５を立設し、起立した止水フラップ板４の長手方向端部の上面に下面が沿うようにカバーブロック６を止水壁５の上端部から下枠３の長手方向の中央側に突設して構成されたものがある（たとえば、特許文献１及び特許文献２、参照）。
【０００４】
この止水手段によっては、出入口１を閉塞部材２が閉塞した際には、起立した止水フラップ板４、止水壁５、カバーブロック６にて囲まれた空間が出入口１の床面上に形成され、この空間によって出入口１の床面上を浴室Ａから脱衣所Ｂに流入しようとする浴水が漏れなく止水されるようになっており、また、出入口１を閉塞部材２が開放した際には、止水フラップ板４が水平に倒れ、出入口１の床面が浴室Ａ及び脱衣所Ｂの床面と同高さのバリアフリー構造に形成されるようになっている。
【０００５】
なお、上記カバーブロック６はその一端が止水フラップ板４の回動方向と同方向（上下方向）に回動自在にして止水壁５に枢支されており、回動端となるカバーブロック６の他端には係合部３９が設けられ、止水壁５に設けた被係合部３１に係合部３９を係合させることで起立した止水フラップ板４の上面に下面が沿う位置にカバーブロック６が固定されている。具体的に、上記係合部３９はカバーブロック６から水平に突出した係合爪５０で構成されると共に、被係合部３１は上記係合爪５０が引っ掛かって係合される水平溝状の係合溝５１で構成されており、カバーブロック６の回動操作によって係合爪５０と係合溝５１との係脱が行われるようにされている。
【０００６】
このようにカバーブロック６を止水壁５に回動自在に取り付けたことは、止水フラップ板４の下枠３からの取外しを可能にして下枠３の清掃やメンテナンスを容易に行わせることを期したものである。つまり、上記止水手段も浴室Ａ同様、直接水に触れる部分であることから適宜清掃が必要とされるのであり、またメンテナンス作業も適宜行われるのであるが、この清掃作業及びメンテナンス作業は、図１１、１２に示すように、係合部３９の被係合部３１への係合を外してカバーブロック６を止水壁５に対して回動させ、カバーブロック６を止水フラップ板４の上方位置から外した位置に位置させ、起立させた止水フラップ板４を上方に持ち上げて下枠３から取り外し、下枠３の止水フラップ板４が設けられていた部位を露出させた状態にして行うようにされる。このように、この止水手段は、止水フラップ板４を取り外すことが可能にされており、適宜メンテナンスや清掃を容易に行わせることが図られているのである。
【０００７】
【特許文献１】
特開２００２−２２７５４８号公報
【特許文献２】
特開２００２−３８８４２号公報
【０００８】
【発明が解決しようとする課題】
しかしながら、上記止水手段にあるように、カバーブロック６の回動方向及び係合部３９の被係合部３１への係脱方向が止水フラップ板４の起倒方向と同一方向に設定されていると、閉塞部材２を勢い良く閉めた場合、この閉塞部材２に連動して止水フラップ板４が勢い良く起立してカバーブロック６にその回動方向に衝撃を伴なって当接し、その衝撃によって係合部３９と被係合部３１との係合が外れると共にカバーブロック６が回動してしまうといった事態が生じてしまう。カバーブロック６はその係合部３９を止水壁５の被係合部３１に係合させた状態で起立した止水フラップ板４と止水壁５との間の止水を確保させ得ることから、上述したように被係合部３１から係合部３９が外れてカバーブロック６が回動してしまうと、止水フラップ板４と止水壁５との間から水が漏れてしまって止水手段の止水機能が損なわれてしまうのである。
【０００９】
しかして、上述した係合部３９の被係合部３１からの不意の外れを防止するために、係合部３９と被係合部３１との係合強度を上げて対処することが行われていたが、これによると、止水手段の清掃時やメンテナンス時に人の手により係合部３９と被係合部３１との係合を外す際に、係合部３９と被係合部３１との係合を外すのに必要な力が大きくなり、その作業性を悪化させてしまうものであると共に、係合部３９と被係合部３１との係合・解除の度にこの部位には大きな負荷がかかり、この部位を破損させてしまうといった恐れも有するようになる。また特に、このカバーブロック６の取外し作業を伴なう清掃作業は、主婦などの女性によって行われることが多いのであり、このときには、係合強度が強く設定された係合部３９と被係合部３１との係合を外すことができず、有効な清掃作業を行うことができないといった事態を招いてしまうものであった。
【００１０】
また、本出願人は、本発明に至るまでに、図１３に示すように、カバーブロック６の係合部３９と止水壁５の被係合部３１との係合を外し易くしたものも開発している。これは、止水壁５の被係合部３１に押圧片５２を上方に突設させ、この押圧片５２を略水平方向に押圧することで係合溝５１を弾性変形させ、係合部３１の係合爪５０を係合溝５１から外れ易くしたものである。しかしながら、この開発品も、係合部３９と被係合部３１との係合強度は強く設定しておかねばならず、また、係合爪５０の係合溝５１からの係合の解除が行い易いといっても、押圧片５２を略水平方向に押圧して係合爪５０の係合溝５１からの係合解除を行い［図１３（ａ）］、その後、カバーブロック６を上方へ向けて回動させるといった作業を行わねばならず［図１３（ｂ）］、つまり２アクションの操作作業が必要とされることから良好な操作性は得られるものではない。したがって、この開発品にあっても、先述した図１０〜１２の従来技術の例で問題とされた回動したカバーブロック６の衝撃による係合部３９の被係合部３１からの不意の外れの防止も、係合部３９と被係合部３１との係合部位の破損の恐れも根本的には解決されず、カバーブロック６の取外し、つまりメンテナンス作業や清掃作業の作業性も大幅には向上し得ないものであった。
【００１１】
本発明は上記の点に鑑みてなされたものであり、閉塞部材を勢い良く閉めてもカバーブロックが止水壁から外れて止水機能を損ねてしまうことを防止できると共に、メンテナンス作業や清掃作業の良好な作業性も確保できる出入口の構造を提供することを課題とするものである。
【００１２】
【課題を解決するための手段】
上記課題を解決するために本発明に係る出入口の構造は、ドア、引戸等の閉塞部材２にて開閉される出入口１の下枠３上に下枠３の長手方向に亙る長板状の止水フラップ板４を起倒自在に取付け、この止水フラップ板４を、閉塞部材２が出入口１を閉塞したときに起立すると共に閉塞部材２が出入口１を開放したときに倒れるように閉塞部材２の開閉に連動させ、下枠３の長手方向の両端部に下枠３外に逃れる水を止水する止水壁５を立設し、起立した止水フラップ板４の長手方向端部の上面に下面が沿うようにカバーブロック６を止水壁５の上端部から下枠３の長手方向の中央側に突設して成る出入口の構造において、カバーブロック６の一端を水平回転自在に止水壁５に枢支すると共に、止水壁５に接離するカバーブロック６の他端を止水壁５に水平方向に係脱自在に係合したことを特徴とする。
【００１３】
これによると、閉塞部材２を勢い良く閉めたとき、起立した止水フラップ板４がカバーブロック６に衝撃を伴なって当接したとしても、カバーブロック６は止水壁５に水平方向に係脱自在に係合されており、つまり衝撃のかかる方向と係脱方向とが相違することから、衝撃によってカバーブロック６が止水壁５から不意に外れてしまうことを無くすることができる。しかして、閉塞部材２を勢い良く閉めたとしても止水機能を損ねてしまうといったことが無くなると共に、カバーブロック６の止水壁５への係合強度を上げる必要も無くなり、カバーブロック６を止水壁５から容易に外し得るようにできてメンテナンス作業や清掃作業の作業性を良好にできる。
【００１４】
また、止水壁５に枢支するカバーブロック６の一端に板片７を突設し、この板片７の下面から下方に垂直軸８を突設し、止水壁５の壁面から水平で且つ平行な上水平片９及び下水平片１０を間に隙間Ｓを介して下枠３の長手方向の中央側に突設し、この隙間Ｓに挟み込んだ板片７の垂直軸８が嵌り込む枢支孔１１を下水平片１０に上下に貫通し、この枢支孔１１の周縁部に外方に開口せる切欠部１２を穿設し、この切欠部１２の開口幅寸法を垂直軸８の軸径より狭く形成したことも好ましい。
【００１５】
これによると、起立した止水フラップ板４がカバーブロック６に衝撃を伴なって当接しても、カバーブロック６にかかる上方への衝撃はカバーブロック６の板片７を挟持した止水壁５の上水平片９と下水平片１０とで有効に受けられて垂直軸８の枢支孔１１からの不意の抜けが防止され、つまりカバーブロック６の止水壁５への枢支部分での上記衝撃に対する強度が構造的に向上されている。また、上記カバーブロック６の止水壁５への枢支構造では、垂直軸８が切欠部１２を通して枢支孔１１から水平に引き抜かれることが可能とされ、つまりカバーブロック６は止水壁５から水平方向に取り外し可能とされ、下枠３のメンテナンス作業や清掃作業の作業性を更に良好にできる。
【００１６】
【発明の実施の形態】
本発明は、適宜止水を可能にしたバリアフリーの出入口の構造に関する。この出入口の構造はたとえば脱衣所Ｂに連通する浴室Ａの出入口１に用いられるものであり、以下の説明では、この出入口の構造が用いられた浴室Ａの出入口１を例に挙げて説明する。
【００１７】
バリアフリー構造が採用された浴室Ａの出入口１は、浴室Ａの床面と脱衣所Ｂの床面と略段差のない面一の状態にされている。しかしてそのままでは浴室Ａの床面上に溢れた浴水は、浴室Ａの出入口１を通って脱衣所Ｂの床面上に至ってしまうので、浴室Ａの出入口１には浴水の脱衣所Ｂへの浸入を防止する止水手段を備えている。この止水手段は、図３，４に示すように、出入口１の下枠３上に起倒自在に装着した下枠３の長手方向に亙る長板状の止水フラップ板４、下枠３の長手方向の両端部に立設した止水壁５、止水壁５の上端部から下枠３の長手方向の中央側に突設したカバーブロック６から構成される。この止水フラップ板４は、出入口１に配設されて出入口１の開閉を行うドア、引戸等の閉塞部材２の開閉動作に連動して起倒動作がなされるものであり、詳しくは、閉塞部材２が出入口１を閉塞したときに起立すると共に閉塞部材２が出入口１を開放したときに倒れるようにされている。なお、閉塞部材２に止水フラップ板４を連動させるのは後述する連動ユニット１３にて行われる。またカバーブロック６はその下面が、起立した止水フラップ板４の長手方向端部の上面に沿うように止水壁５に取り付けられている。しかして、この止水手段によっては、出入口１を閉塞部材２が閉塞した際には、起立した止水フラップ板４、止水壁５、カバーブロック６にて囲まれた空間が出入口１の床面上に形成され、この空間によって出入口１の床面上を浴室Ａから脱衣所Ｂに流入しようとする浴水が漏れなく止水されるようになっており、また、出入口１を閉塞部材２が開放した際には、止水フラップ板４が水平に倒れ、出入口１の床面が浴室Ａ及び脱衣所Ｂの床面と同高さのバリアフリー構造に形成されるようになっている。
【００１８】
以上、出入口１の構造を簡単に説明したが、以下には上述した出入口１の構造を構成する各部材について詳述する。
【００１９】
出入口１の床に配設される下枠３は、長手方向に亘って同じ断面を有するような押出し成形等で形成された型材であって、浴室側から浴室当接部１４、排水部１５、止水部１６を連設すると共に上記各部１４，１５，１６を一体化して構成されている。
【００２０】
浴室当接部１４は、その浴室側の端面に浴室床パン１７に当接させる当接面１８が形成されている。この当接面１８にはスポンジなどから成るクッション材１９が貼着されており、また、この浴室当接部１４の上面の浴室側端部には、下枠３の長手方向に亘る板状の浴室側接続片２０が装着される。この浴室側接続片２０は下枠３から浴室側に略水平に突出される板材であり、下枠３を浴室Ａと脱衣所Ｂとの間に配設した際に浴室床パン１７上に重ねて配置され、下枠３と浴室床パン１７の接続部分を被覆して浴室Ａの出入口１の外観を向上させるものである。なお、浴室側接続片２０は下枠３に対して多少上下に回動できるように装着されており、下枠３の上面と浴室床パン１７の上面との高さが多少ずれても、浴室側接続片２０にて下枠３と浴室床パン１７との接続ギャップを吸収できるようにされている。
【００２１】
排水部１５は、上方開口を有した排水溝２１を下枠３の長手方向に亘って形成した部分である。この排水溝２１は下枠３上にあふれた浴水が集められる部位であり、その底部には浴室Ａの排水経路等に連通させる排水孔（図示せず）が設けられている。なお、排水溝２１の上方開口には着脱自在の蓋材（図示せず）を配設してもよい。蓋材を設けることで、水垢等の汚れが付着し易い排水溝２１の目隠しをでき、出入口１の外観の向上を図ることができる。
【００２２】
止水部１６は、止水フラップ板４が装着される部分であり、また、止水フラップ板４で止水した浴水が集水される止水溝２２を下枠３の長手方向に亘って形成した部分である。止水溝２２は、上方開口を有し且つ排水溝２１よりも浅く形成された溝であり、排水溝２１の脱衣所側に並設されている。詳しくは、この止水溝２２の底部は浴室側程深く形成されており、止水溝２２の最深部分には排水溝２１に連通する導水孔（図示せず）が形成されている。しかして、この止水溝２２に集水された浴水は、上記導水孔を通って排水溝２１に流れ込み易くされている。また、止水溝２２の上方開口は、下枠３に起倒自在に装着された止水フラップ板４によって開閉されるようになっている。具体的に、止水フラップ板４は、止水溝２２の脱衣所側に亘って形成された軸受部２３に回転自在に被嵌されることで下枠３に装着されている。上記軸受部２３は、上方開口を有したＵ字溝状の部位であり、止水フラップ板４が上方に回動して略垂直に起立した状態になったときにのみ、軸受部２３から止水フラップ板４が引き抜き可能にされている。また、止水部１６の上面の脱衣所側端部には、下枠３の長手方向に亘る板状の脱衣所側接続片２４が装着される。この脱衣所側接続片２４は下枠３から脱衣所側に略水平に突出される板材であり、下枠３を浴室Ａと脱衣所Ｂとの間に配設した際に脱衣所Ｂの床面上に重ねて配置され、下枠３と脱衣所Ｂとの接続部分を被覆して浴室Ａの出入口１の外観を向上させるものである。なお、脱衣所側接続片２４は下枠３に対して多少上下に回動できるように装着されており、下枠３の上面と脱衣所Ｂの上面との高さが多少ずれても、脱衣所側接続片２４にて下枠３と脱衣所Ｂとの接続ギャップを吸収できるようにされている。
【００２３】
上述した構成を有する下枠３は、浴室Ａと脱衣所Ｂの間の出入口１に配設されるが、具体的には、浴室床パン１７の上面から一段下げるように形成した下枠設置部１７ａに下枠３の浴室当接部１４及び排水部１５を載置してビス止め固定される。つまり、排水部１５の排水溝２１の底部には上下に貫通する取付孔２５が下枠３の長手方向に間隔を有して複数穿孔されており、上記取付孔２５に挿通したビス等の固着具２６を下枠設置部１７ａに螺着させることで、下枠３が下枠設置部１７ａに固定されている。ここで、排水溝２１は止水部１６で止水した浴水が集められる部位であるから、上記取付孔２５と固着具２６との間にはナット状のシール材２７が介装されて防水処理が施されている。
【００２４】
止水壁５は、図２に示すように、浴室側の垂直辺５ａと脱衣所側の斜辺５ｂと下方の底辺５ｃとで略直角三角形状に外形が形成された樹脂成形品の板状体で構成されている。そして、この止水壁５は上述したように出入口１の下枠３の長手方向の両端部に立設されるのであるが、詳述すると、止水壁５の垂直辺５ａや底辺５ｂを止水溝２２の溝壁面に沿わせて嵌合させたり等、適所において下枠３に係止・係合させることで下枠３に対して位置決めがなされ、止水壁５を貫通した装着孔２８に取付ビス２９を挿通させて下枠３に螺合することで、止水壁５が下枠３に位置決めを伴って固定される。下枠３に固定された止水壁５は、下枠３の止水部１６の長手方向端部、つまり止水溝２２の長手方向端部を被覆、閉塞するようにされる。なお、便宜上、下枠３の長手方向の両端部に取付けた一対の止水壁５における対向壁面を内壁面５ｄと称する。
【００２５】
また、止水壁５には、止水フラップ板４を回動自在に枢支するフラップ回動軸３０、カバーブロック６の係合部３９に係合される被係合部３１、カバーブロック６の枢支軸部３８を回転自在に枢支する枢支軸受部３２がそれぞれ、内壁面５ｄから下枠３の長手方向の中央方向に向けて一体に突設されている。なお、このフラップ回動軸３０は、下枠３の軸受部２３に対応する位置に設けられており、また、被係合部３１は、止水壁５の浴室側の上端部分に設けられており、また、枢支軸受部３２は、下枠３の脱衣所側端部の上面近傍に対応する位置に設けられている。
【００２６】
ここで、被係合部３１は、具体的に、それぞれ止水壁５の内壁面５ｄから下枠３の長手方向の中央方向に向けて突設した、水平片状の挿込片３３と、この挿込片３３の下方に隙間を介して並設したブロック体３４とで構成されている。ブロック体３４の上面における突出基端部分には下方に凹没した爪収納凹所３５が形成されている。
【００２７】
また、枢支軸受部３２は、具体的に、止水壁５の内壁面５ｄから下枠３の長手方向の中央側に突設した水平板状の上水平片９及び下水平片１０とで構成される。この上水平片９及び下水平片１０は間に隙間Ｓを介して上下に位置して設けられている。下水平片１０には上下に貫通する枢支孔１１が形成され、この枢支孔１１の周縁には外方に開口せる切欠部１２が連設されている。詳しくは、この切欠部１２は、枢支孔１１の周縁における下枠３の長手方向の中央方向側の部位に形成されている。つまり、枢支孔１１は上方向、下方向及び下枠３の長手方向の中央方向側にそれぞれ開口し、上面視で略Ｃ字状の内径形状を有するように形成されている。この枢支孔１１は、後述するカバーブロック６の垂直軸８が回転自在に嵌り込む部位であり、その内径は該垂直軸８の軸径と略同径に形成されている。また、切欠部１２の開口幅は、枢支孔１１に嵌まった垂直軸８が外れないように該垂直軸８の軸径よりも狭く形成されている。下水平片１０は、言い換えれば、板状の基部１０ａから、間に枢支孔１１及び切欠部１２を形成させるように一対の弾片１０ｂを突出させて構成されている。この一対の弾片１０ｂは、基部１０ａの突出先端部分における浴室側端部、脱衣所側端部からそれぞれ突出されているので、便宜上、浴室側弾片１０ｂ１、脱衣所側弾片１０ｂ２と称する。ここで、浴室側弾片１０ｂ１の突出先端における浴室側の角部分は面取り３６（図８）が施されている。この面取り３６によって、垂直軸８の軸心と一致する枢支孔１１の中心から浴室側弾片１０ｂ１の端縁までの最大距離Ｌ１は、枢支孔１１の中心から脱衣所側弾片１０ｂ２の端縁までの最大距離Ｌ２に比べて短くなるように設定されている（Ｌ２＞Ｌ１）。なお、下水平片１０の基部１０ａにおける浴室側弾片１０ｂ１、脱衣所側弾片１０ｂ２の間には、これら浴室側弾片１０ｂ１、脱衣所側弾片１０ｂ２の弾性変形量を増加させるための切り込み３７が施されている。
【００２８】
カバーブロック６は、図２に示すように、脱衣所側から浴室側に長い柱状に形成された止水壁５とは別体の樹脂成形品のブロック体である。詳しくは、このカバーブロック６は、止水壁５の斜辺５ｂ同様に脱衣所側から浴室側に行く程上方に位置するような傾斜が全体に施された矩形柱状のブロック体である。そして、このカバーブロック６は、止水壁５の上端から下枠３の長手方向の中央方向に突設するように止水壁５の上端に装着される。詳しくは、カバーブロック６の脱衣所側端部に設けた枢支軸部３８を止水壁５の枢支軸受部３２に回動自在に枢支させると共に、カバーブロック６の浴室側端部に設けた係合部３９を止水壁５の被係合部３１に係合支持させることで、カバーブロック６は止水壁５の上端に装着されるようになっている。なお、係合部３９と被係合部３１とが係合して止水壁５に装着したカバーブロック６は、後述する下枠３に装着した止水フラップ板４の上方位置に位置している。
【００２９】
具体的に、カバーブロック６の脱衣所側の一端に設けた枢支軸部３８は、カバーブロック６の脱衣所側の一端から長手方向に突設された水平板状の板片７と、この板片７の中央部から下方に突設された垂直軸８とで構成される。詳しくは、板片７が突設されるカバーブロック６の脱衣所側の端面６ａは、垂直壁状に形成されているが、上記板片７は上記端面６ａの上下中央部分に突設されている。また、図８に示すように、垂直軸８の軸心から端面６ａまでの最短距離Ｌ３は、枢支孔１１の中心から浴室側弾片１０ｂ１の端縁までの最大距離Ｌ１よりも大きく、且つ枢支孔１１の中心から脱衣所側弾片１０ｂ２の端縁までの最大距離Ｌ２よりも小さくなるように設定されている（Ｌ２＞Ｌ３＞Ｌ１）。
【００３０】
また、カバーブロック６の浴室側端部に設けた係合部３９は、挿込片３３が挿し込まれる挿込孔４０と、上下に弾性変形可能で下方に凸形状とされた爪４１とで構成される。
【００３１】
しかして、カバーブロック６の枢支軸部３８の止水壁５の枢支軸受部３２への枢支構造は、枢支軸受部３２の上水平片９と下水平片１０との間の隙間Ｓに枢支軸部３８の板片７を挿入し、上水平片９と下水平片１０とで板片７をその上下移動を規制するように挟持させると共に、板片７の垂直軸８を下水平片１０の枢支孔１１に回転自在に嵌合させて構成される。この枢支構造によって、止水壁５に枢支されたカバーブロック６は上下の移動規制がなされて水平方向のみ回転できるようにされている。
【００３２】
また、カバーブロック６の係合部３９の止水壁５の被係合部３１への係合構造は、被係合部３１の挿込片３３を係合部３９の挿込孔４０に水平に挿し込むと共に、被係合部３１の爪収納凹所３５に係合部３９の爪４１を嵌め込んで構成される。係合部３９の爪４１は上下に弾性可能であるから、水平回転したカバーブロック６を止水壁５に接離させた際には、上記爪４１が被係合部３１のブロック体３４の上面に沿って弾接し、爪収納凹所３５に係脱自在にされている。また、挿込片３３が挿込孔４０に水平に挿し込まれたことで、カバーブロック６の上下移動が規制されている。
【００３３】
したがって、止水壁５に装着したカバーブロック６は、図１に示すように、水平方向にのみ回転自在にされ、また、図３に示すように、爪４１の爪収納凹所３５への係合によってカバーブロック６は止水壁５の内壁面５ｄに沿わせて位置固定がなされ、そしてこの状態では、板片７が上水平片９と下水平片１０とで挟持されると共に、挿込片３３が挿込孔４０に水平に挿し込まれているので、カバーブロック６は浴室側及び脱衣所側の両端部分で、強固に上下移動の規制がなされた状態にされている。
【００３４】
止水フラップ板４は、下枠３の長手方向に亘る長板状の板部４ａと、上記板部４ａの脱衣所側端部に亙って断面Ｃ字状に形成された基部４ｂとで構成される。そして、この止水フラップ板４は、上記基部４ｂを下枠３の軸受部２３に挿入し、基部４ｂの長手方向の両端部を止水壁５のフラップ回動軸３０に回動自在に枢支させることで、下枠３の止水部１６に起倒自在に装着されている。
【００３５】
連動ユニット１３は、キャップ４２を始端として止水フラップ板４に終端を連結させたリンク機構４３を有して構成されたものであり、上記キャップ４２のみ下枠３の上面に突出させ、その他の部位は下枠３の止水溝２２内に埋設配置されている。ここでキャップ４２は出入口１を閉塞した閉塞部材２に当接されるように配置されている。この連動ユニット１３は、出入口１を閉塞した閉塞部材２が上記キャップ４２に当接すると、上記リンク機構４３が変形して止水フラップ板４を押し上げ、止水溝２２の上方開口を開放するように止水フラップ板４を起立させるのであり、また、閉塞部材２が出入口１を開放すると、閉塞部材２がキャップ４２から離れ、上記変形していたリンク機構４３が元の形状に戻って止水フラップ板４の押し上げを解除し、止水溝２２の上方開口を塞ぐように止水フラップ板４を水平に倒れさせるのである。このように、この連動ユニット１３によって、閉塞部材２の出入口１への開閉動作に連動した止水フラップ板４の起倒動作が可能とされている。
【００３６】
図５に示すように、連動ユニット１３によって起立させた止水フラップ板４は、その長手方向両端の上面を、止水壁５の内壁面５ｄに沿って装着されたカバーブロック６の下面に当接させるようにしている。しかして、起立した止水フラップ板４と止水壁５との隙間はカバーブロック６にて塞ぐようにでき、つまり起立した止水フラップ板４、止水壁５及びカバーブロック６によって、脱衣所Ｂと浴室Ａとの間を完全に遮断するような袋小路状の空間を下枠３上に形成させることができ、この空間によって浴室Ａから脱衣所Ｂに侵入する浴水の止水を可能にしているのである。
【００３７】
なお従来技術では、閉塞部材２を勢い良く閉めた場合など、起立した止水フラップ板４がカバーブロック６の下面に衝撃を伴って当接したときには、この衝撃によってカバーブロック６が止水壁５から外れるといった恐れを有していたが、本例の出入口１の構造では上記恐れは解消されている。つまり、本例のカバーブロック６は、上述した枢支軸部３８の枢支軸受部３２への枢支構造や係合部３９の被係合部３１への係合構造にあるように、上下方向に位置規制がなされて止水壁５に装着されていると共に、係合部３９の被係合部３１への係脱方向も水平方向のみに設定されているので、カバーブロック６の下面から上方にかかる上記衝撃はカバーブロック６及び止水壁５の全体で受けることができると共に、上記衝撃の方向では係合部３９の被係合部３１への係脱も行われないようになっているのである。しかして、カバーブロック６の止水壁５への装着状態では、上記衝撃に対して強い構造にされており、ましてやカバーブロック６が止水壁５から外れてしまうことも無くしているのである。なお、止水フラップ板４が当接されるカバーブロック６の下面にはクッション材４４が貼着されており、止水フラップ板４のカバーブロック６への当接にかかる衝撃を和らげるようにされており、これによっても、上記衝撃に対するカバーブロック６の止水壁５への装着強度の向上が図られているのである。
【００３８】
更に言うと、係合部３９の被係合部３１への係脱方向は水平方向であって、この方向は止水フラップ板４のカバーブロック６への当接方向と異なる方向に設定されているので、係合部３９の被係合部３１への係合強度を止水フラップ板４がカバーブロック６に負荷する衝撃と関係なく適宜設定することができ、つまり、上記衝撃に対するカバーブロック６の止水壁５への装着強度はそのままに、係合部３９の被係合部３１への係合強度をのみ弱く設定することができる。したがって、力の弱い女性にも容易に係合部３９と被係合部３１との係合を外し、カバーブロック６を水平回転させ得るようにできるのである。後述するように清掃作業やメンテナンス作業を行うにあたっては、係合部３９と被係合部３１との係合を外し、カバーブロック６を水平回転させて行うのであるが、上述したように係合部３９と被係合部３１との係合を外して止水カバーブロック６を水平回転させる一連の作業を容易にならしめると、清掃作業やメンテナンス作業の作業性を向上させることができるのである。
【００３９】
上記各部材によって構成された出入口１においては、上述したように、閉塞部材２が出入口１を開放した際には、止水フラップ板４が下枠３上に倒れた状態となり、浴室床パン１７の上面から脱衣所Ｂの床面に至る部分にバリアフリー構造を形成させ、浴室Ａの利用者に出入口１の安全な通行を提供できるものであり（図３，４）、また、閉塞部材２が出入口１を閉塞した際、つまり浴室Ａの使用時には、起立した止水フラップ板４、止水壁５、カバーブロック６にて囲まれた空間が出入口１の床面上に形成され、この空間によって浴室Ａから脱衣所Ｂに流入しようとする浴水を漏れなく止水でき、脱衣所Ｂの床面への浴水の浸入が防止されているのである（図５）。上述したように閉塞部材２を勢い良く閉じたとしてもカバーブロック６の止水壁５からの外れは無くなっているので、この止水機能は不意に損なわれることはなくなっている。なお、止水フラップ板４等によって止水された浴水は、止水溝２２、導水孔を経て排水溝２１に集水され、排水溝２１からは浴室Ａの排水経路などに排水されるようにされ、出入口１からすみやかに排水することができるようにされている。
【００４０】
ところで、浴水の止水を行う出入口１の床面、つまり下枠３は直接水が触れる部分であるので、適宜清掃やメンテナンスが必要とされるのであるが、この清掃作業やメンテナンス作業は、従来技術同様、止水フラップ板４を下枠３から外し、止水溝２２など下枠３を上方に露出させた状態で行われる。
【００４１】
本例の止水フラップ板４の下枠３からの取り外し作業は、図１に示すように、まず、止水壁５の内壁面５ｄに沿わせて装着されたカバーブロック６の指かけ４６に指を引っ掛けてカバーブロック６を下枠３の長手方向の中央側に押圧し、カバーブロック６の係合部３９と止水壁５の被係合部３１との係合を外す。そして、そのままカバーブロック６を脱衣所側に水平回転させて、カバーブロック６を止水フラップ板４の上方位置から外れた位置に位置させる。次に、図６，７に示すように、指で連動ユニット１３のキャップ４２を押圧し、止水フラップ板４を略垂直状態になるまで上方に起立させる。そして、垂直に起立した状態の止水フラップ板４を掴んで上方に持ち上げることで、止水フラップ板４の下枠３からの取り外しが行われるようになっている。
【００４２】
なお、カバーブロック６の止水壁５への枢支構造は、切欠部１２を備えた枢支孔１１に垂直軸８が回転自在に嵌合されることで構成されているので、切欠部１２を通して枢支孔１１から垂直軸８を水平に引き抜くことが可能とされ、これによってカバーブロック６は止水壁５から取り外し可能にされている。しかして、カバーブロック６を止水壁５から取り外した状態で、下枠３から止水フラップ板４を取外す作業を行わせることもできる。これによると、予めカバーブロック６を外してしまった状態で、カバーブロック６を気にせずに止水フラップ板４の取外し作業を行えるようにでき、止水フラップ板４の下枠３からの取外し作業の作業性を向上させることができる。また、カバーブロック６を止水壁５から取り外した状態は、下枠３に加えてカバーブロック６と止水壁５との枢支部分をも露出された状態になることから、清掃作業やメンテナンス作業の作業性も向上させることができるのである。
【００４３】
ここで、カバーブロック６を止水壁５から取り外すにあたっては、水平回転させたカバーブロック６の長手方向を、枢支孔１１における切欠部１２の開口方向である下枠３の長手方向に略一致させるようにし、この状態でカバーブロック６を下枠３の長手方向の中央方向に向けて引っ張り、垂直軸８を切欠部１２に通して枢支孔１１から引き抜き、これによってカバーブロック６を止水壁５から取り外すようにすることも可能ではあるが、図８に示すように、カバーブロック６を脱衣所側にそのまま水平回転させ続ければ、自然に垂直軸８が枢支孔１１から外れるようにもなっており、容易にカバーブロック６を止水壁５から取し外し得るようにされている。これは、カバーブロック６の回転中心となる垂直軸８の軸心と浴室側弾片１０ｂ１との最大距離Ｌ１、該垂直軸８の軸心と脱衣所側弾片１０ｂ２との最大距離Ｌ２、該垂直軸８の軸心とカバーブロック６の端面６ａとの最短距離Ｌ３が、Ｌ２＞Ｌ３＞Ｌ１の寸法関係に設定されていることで可能とされている。図８はカバーブロック６を脱衣所側に水平回転させ続けた状態を順に示している。（ａ）→（ｄ）では、Ｌ３＞Ｌ１の寸法関係によって、浴室側弾片１０ｂ１とカバーブロック６の端面６ａとが殆ど接触しない状態が保たれ、カバーブロック６がスムーズに回転されるのであるが、（ｅ）→（ｆ）では、Ｌ２＞Ｌ３の寸法関係によって、脱衣所側弾片１０ｂ２がカバーブロック６の端面６ａに引っ掛かり、そのままカバーブロック６を脱衣所側に回転させ続けると、脱衣所側弾片１０ｂ２、浴室側弾片１０ｂ１が切欠部１２の開口幅を広げるように徐々に弾性変形をし、垂直軸８は上記開口幅が広げられた切欠部１２を通って容易に枢支孔１１外に外れるようにされているのである。
【００４４】
また、本例の出入口１の構造では、止水フラップ板４の基部４ｂを下枠３の軸受部２３から容易に引き抜き得るようにもされている。つまり、軸受部２３内には、図９に示すように、止水フラップ板４の基部４ｂに乗り上げさせて該基部４ｂを軸受部２３外に押出すようにする押圧弾性体４５が配設されているのである。詳しくは、この押圧弾性体４５は軸受部２３内の底部における脱衣所側の角部分に配置され、下枠３上に水平に倒れた状態の止水フラップ板４の基部４ｂはこの押圧弾性体４５には乗り上げないようにされると共に、略垂直に起立した状態の止水フラップ板４の基部４ｂのみがこの押圧弾性体４５に乗り上げるようにされて、押圧弾性体４５によって略垂直に起立した状態の止水フラップ板４が軸受部２３から押し出されるようにされる。つまり止水フラップ板４を上方に回動させ続けるだけで、自然に止水フラップ板４の基部４ｂを軸受部２３から外すことができ、止水フラップ板４を下枠３から取外す作業性の向上が図られているのである。
【００４５】
【発明の効果】
上記のように本発明の請求項１記載の発明にあっては、ドア、引戸等の閉塞部材にて開閉される出入口の下枠上に下枠の長手方向に亙る長板状の止水フラップ板を起倒自在に取付け、この止水フラップ板を、閉塞部材が出入口を閉塞したときに起立すると共に閉塞部材が出入口を開放したときに倒れるように閉塞部材の開閉に連動させ、下枠の長手方向の両端部に下枠外に逃れる水を止水する止水壁を立設し、起立した止水フラップ板の長手方向端部の上面に下面が沿うようにカバーブロックを止水壁の上端部から下枠の長手方向の中央側に突設して成る出入口の構造において、カバーブロックの一端を水平回転自在に止水壁に枢支すると共に、止水壁に接離するカバーブロックの他端を止水壁に水平方向に係脱自在に係合したので、閉塞部材を勢い良く閉めたときなど起立した止水フラップがカバーブロックに衝撃を伴って当接したとしても、カバーブロックは止水壁に水平方向に係脱自在に係合され、つまり係脱方向は衝撃のかかる方向と相違することから、衝撃によってカバーブロックが止水壁から不意に外れてしまうことを無くすることができるのである。したがって、閉塞部材を勢い良く閉めたとしても止水機能を損ねてしまうといったことを無くすることができると共に、カバーブロックの止水壁への係合強度を上げる必要も無くなり、カバーブロックを止水壁から小さい力で容易に外し得るようにできてメンテナンス作業や清掃作業の作業性を良好にできるのである。
【００４６】
また、請求項２記載の発明にあっては、請求項１の効果に加えて、止水壁に枢支するカバーブロックの一端に板片を突設し、この板片の下面から下方に垂直軸を突設し、止水壁の壁面から水平で且つ平行な上水平片及び下水平片を間に隙間を介して下枠の長手方向の中央側に突設し、この隙間に挟み込んだ板片の垂直軸が嵌り込む枢支孔を下水平片に上下に貫通し、この枢支孔の周縁部に外方に開口せる切欠部を穿設し、この切欠部の開口幅寸法を垂直軸の軸径より狭く形成したので、起立した止水フラップ板がカバーブロックに衝撃を伴って当接しても、カバーブロックにかかる上方への衝撃はカバーブロックの板片を挟持した止水壁の上水平片と下水平片とで有効に受けられるから、止水壁へのカバーブロックの装着が上記衝撃に対して強い構造とでき、また、上記カバーブロックの止水壁への枢支構造では、垂直軸が切欠部を通して枢支孔から水平に引き抜かれることが可能とされ、つまりカバーブロックは止水壁から水平方向に取り外し可能とされ、下枠のメンテナンス作業や清掃作業の作業性を更に良好にできるのである。
【図面の簡単な説明】
【図１】本発明の実施の形態の例の止水フラップ板の下枠からの取外し作業を説明する斜視図である。
【図２】同上のカバーブロックと止水壁との分解斜視図である。
【図３】同上の止水フラップ板が倒れた状態の出入口の斜視図である。
【図４】図３の状態の出入口の側面断面図である。
【図５】同上の閉塞部材を閉じて止水フラップ板を起立させた状態の出入口の側面断面図である。
【図６】同上の止水フラップ板の下枠からの取外し作業を説明する斜視図である。
【図７】図６の状態の出入口の側面断面図である。
【図８】（ａ）〜（ｆ）はカバーブロックの水平回動動作を順に示した要部の下面図である。
【図９】同上の止水フラップ板の下枠からの取外し作業を説明する説明図である。
【図１０】従来技術の出入口の側面断面図である。
【図１１】同上の止水フラップ板の下枠からの取外し作業を説明する斜視図である。
【図１２】同上の止水フラップ板の下枠からの取外し作業を説明する斜視図である。
【図１３】（ａ）（ｂ）は従来技術の他例のおける止水フラップ板の下枠からの取外し作業を説明する斜視図である。
【符号の説明】
１  出入口
２  閉塞部材
３  下枠
４  止水フラップ板
５  止水壁
６  カバーブロック
７  板片
８  垂直軸
９  上水平片
１０  下水平片
１１  枢支孔
１２  切欠部
Ａ  浴室
Ｂ  脱衣所
【図１】
0003645891.tif 000002
【図２】
0003645891.tif 000003
【図３】
0003645891.tif 000004
【図４】
0003645891.tif 000005
【図５】
0003645891.tif 000006
【図６】
0003645891.tif 000007
【図７】
0003645891.tif 000008
【図８】
0003645891.tif 000009
【図９】
0003645891.tif 000010
【図１０】
0003645891.tif 000011
【図１１】
0003645891.tif 000012
【図１２】
0003645891.tif 000013
【図１３】
0003645891.tif 000014